(57)【特許請求の範囲】
【請求項１】
パチンコ球を賞球排出通路または貸球排出通路に分岐させる球振分機構がケース体内に設けられた球払出装置と、賞球排出通路を通過するパチンコ球をカウントする賞球検出器および貸球排出通路を通過するパチンコ球をカウントする貸球検出器を夫々ユニットケース内に着脱可能に設けた球検出ユニットとを備えたパチンコ遊技機であって、
前記ケース体には係合部を形成し、前記ユニットケースには該ユニットケースのパチンコ遊技機の裏面と対向する側の面で且つその中心から偏った位置に嵌合部を形成し、他方、裏機構板には前記球払出装置と前記球検出ユニットとを上下に並設可能な取付部を形成し、該取付部内に前記係合部に係合し得る係合規制部および前記嵌合部が嵌合し得る被嵌合部を形成し、
前記取付部に前記球払出装置をパチンコ遊技機の裏面側に向けて挿入すると共に該球払出装置を該取付部内にて上方に引き上げることにより前記係合部を係合規制部に係合させ、次いで該取付部内における該球払出装置の下方に前記ユニットケースをパチンコ遊技機の裏面側に向けて挿入し該ユニットケースの嵌合部を被嵌合部に嵌合させることで該球検出ユニットを取り付けるようにしたことを特徴としたパチンコ遊技機。
【発明の詳細な説明】
【０００１】
【発明の属する技術分野】
本発明は、パチンコ遊技機に関し、特に球払出装置と球検出手段をそれぞれ個別にユニット化して裏機構板に装着するようにしたパチンコ遊技機に関するものである。
【０００２】
【従来の技術】
従来、パチンコ遊技機の遊技盤裏面には周知のように合成樹脂製の裏機構板が装着されており、該裏機構板に入賞球検出信号に基づいて所定個数の賞球を払い出す電気的な球払出装置が設けられている。この球払出装置は、何らかの要因で故障したときに修理又は交換ができるように裏機構板に対して着脱可能に取り付けられており、該球払出装置を取り外したときに上方の球誘導通路を自動的に閉鎖して球が零れ落ちないようにするためのストッパー機構が設けられていた。
【０００３】
一方、最近では各パチンコ遊技機に対応してカード挿入口及びカードを受け入れて貸球払出信号を発信する機能部を収容した球貸機を設け、カードをカード挿入口に挿入して球貸出操作部を操作することにより球払出装置を駆動して賞球と貸球の両方を払い出すようにした所謂ＣＲ機と称されるカード対応型のパチンコ遊技機が主流となりつつある。
【０００４】
ところで、上記したカード対応型のパチンコ遊技機では、入賞球検出信号又は貸球払出信号があったときに、球払出装置を駆動して賞球や貸球を払い出すと共に、その払い出された球を同じ球検出器で計数するように構成されていた。このため、入賞信号と貸球信号とがあい前後して導出されたときには、賞球と貸球とが連続して排出されるため、入賞に基づく賞球が正確に払いだされたのか、或いは貸球払出信号によって払いだされた貸球が正確に払い出されたのか確認することができないという問題点があった。このような問題点を解決するために、最近では球払出装置の下方に賞球検出器を備えた賞球通路と貸球検出器を備えた貸球通路とを別々に設けた球振分機構を配設し、賞球の払出の確認と貸球の払出の確認を正確に行うことができるようにされている。
【０００５】
【発明が解決しようとする課題】
しかし、このようなカード対応型のパチンコ遊技機にあっては、上述したように球払出装置の下方に球振分機構が配設されているため、球払出装置を取り外したときに上方の球誘導通路から球が零れ落ちないようにするストッパー機構を設けるための設置スペースを作ることが困難であった。このため、例えば球噛み等の発生により球払出装置を裏機構板から取り外したりすると上方の球誘導通路からパチンコ球が垂れ流し状態となってその下方に置かれている賞球検出器あるいは貸球検出器で無用に検出されてしまうことになり、エラー又はエラー時の無用な解除の原因になってしまうという問題点があった。
【０００７】
本発明は、従来技術の有するこのような問題点に鑑みてなされたものであり、その目的とするところは、賞球検出器と貸球検出器の装着ミスが防止されるようにすることが出来るようなパチンコ遊技機を提供しようとするものである。
【０００８】
【課題を解決するための手段】
上記課題を解決するために本発明のパチンコ遊技機は、パチンコ球を賞球排出通路または貸球排出通路に分岐させる球振分機構がケース体内に設けられた球払出装置と、賞球排出通路を通過するパチンコ球をカウントする賞球検出器および貸球排出通路を通過するパチンコ球をカウントする貸球検出器を夫々ユニットケース内に着脱可能に設けた球検出ユニットとを備えたパチンコ遊技機であって、前記ケース体には係合部を形成し、前記ユニットケースには該ユニットケースのパチンコ遊技機の裏面と対向する側の面で且つその中心から偏った位置に嵌合部を形成し、他方、裏機構板には前記球払出装置と前記球検出ユニットとを上下に並設可能な取付部を形成し、該取付部内に前記係合部に係合し得る係合規制部および前記嵌合部が嵌合し得る被嵌合部を形成し、前記取付部に前記球払出装置をパチンコ遊技機の裏面側に向けて挿入すると共に該球払出装置を該取付部内にて上方に引き上げることにより前記係合部を係合規制部に係合させ、次いで該取付部内における該球払出装置の下方に前記ユニットケースをパチンコ遊技機の裏面側に向けて挿入し該ユニットケースの嵌合部を被嵌合部に嵌合させることで該球検出ユニットを取り付けるようにしたことを特徴としている。
【００１１】
【発明の実施の形態】
次に、図面を参照して本発明の実施の形態について説明する。なお、本発明にあってはカード対応型のパチンコ遊技機について説明するが、それ以外の一般的なパチンコ遊技機についても適用可能であること勿論である。
【００１２】
図１は本発明が適用されるカード対応型のパチンコ遊技機の正面図、図２はその裏面図である。図において、ａはパチンコ遊技機、ｂはパチンコ遊技機ａに隣接するように設けられた薄型のカード式球貸機である。パチンコ遊技機ａは、機枠１の前面に前面枠２を開閉自在に装着している。前面枠２の後前側には、取付枠を介して遊技盤３が着脱自在に装着される。遊技盤３の表面には、発射位置を有するガイドレール４が設けられ、そのガイドレール４で囲まれる遊技部に複数の入賞口５、可変入賞口６、役物７等が設けられている。また、前面枠２の前面下方部には打球供給皿８、下部貯留皿９、操作ハンドル１０等が設けられている。また、カード式球貸機ｂの前面には、カード挿入口１１、球貸スイッチ１２、カード返却スイッチ１３等が設けられている。
【００１３】
一方、前記遊技盤３の裏面には、入賞球集合カバー１４が取り付けられており、該入賞球集合カバー１４の後面に遊技盤３の前面の可変入賞口６や役物７等の電気的駆動源を囲う箱状カバー１５が設けられている。また、遊技盤３の取付枠一側には合成樹脂製の裏機構板１６が上下のヒンジ１７，１７を介して着脱及び開閉自在に装着されている。
【００１４】
前記裏機構板１６は、遊技盤３の裏面と相対する前面側にパチンコ球の直径よりもやや大きい奥行幅を有する入賞球集合空間が形成され、そのほぼ中央部に前記箱状カバー１５を突出させるための開口窓１８が形成されている。また、開口窓１８の下方には入賞球集合空間から落下する入賞球を集合する入賞球集合通路１９が形成されており、該入賞球集合通路１９の流下端に入賞球を１個ずつ電気的に検出しながら排出処理する入賞球排出処理装置２０が設けられている。そして、その検出信号が後述する球払出装置２４に送られるようになっている。
【００１５】
一方、前記裏機構板１６の後面側上部にはパチンコ遊技機ａの上方の補給樋から補給されるパチンコ球を貯留する球タンク２１が固着される。球タンク２１の下方には該球タンク２１内のパチンコ球を整列して導き出す誘導レール２２が設けられ、該誘導レール２２の下流端に球振分機構２３を備えた球払出装置２４がカーブレール２５を介して着脱自在に装着されている。
【００１６】
球払出装置２４は、図５及び図６に示すようにカーブレール２５に連通する球通路２６が形成されたケース体２７と、球通路２６を一列になって流下するパチンコ球の１個ずつと係合する突起部２８が外周に形成されたスプロケット２９と、該スプロケット２９を回転させる駆動モーター３０とから構成されている。この球払出装置２４は、前記入賞球排出処理装置２０からの入賞球検出信号又はカード式球貸機ｂからの貸球払出信号に基づいて駆動モーター３０が駆動し、スプロケット２９の所定角度の回転によって突起部２８と突起部２８との間に受けられているパチンコ球を１個ずつ下方に排出するようになっている。なお、前記ケース体２７の前面四隅には取着用の係合部２７ａが突出状に形成されている。
【００１７】
前記球振分機構２３は、球払出装置２４の球通路２６と連通状に形成された賞球排出通路３１と貸球排出通路３２との分岐部に通路切替レバー３３が軸３４により回動自在に支持されており、この通路切替レバー３３の軸支部より下方に形成された係合部３５に電磁石３６の作動板３７が係合されている。そして、電磁石３６が消滋している通常状態のとき図５実線に示すように通路切替レバー３３が貸球排出通路３２を閉じるほぼ起立した位置に回動付勢されており、電磁石３６が励磁されると通路切替レバー３３がその付勢に抗して図５鎖線のように時計廻り方向に回動して賞球排出通路３１を閉じ、球通路２６と貸球排出通路３２とを連通させるようになっている。
【００１８】
しかして、前記カーブレール２５の下方に位置した裏機構板１６には、図４に示すように球払出装置２４を所定位置に正確に位置づけて取り付けるために凹窪状の取付部３８が形成されている。該取付部３８は、球払出装置２４と後述する球検出ユニット３９とを上下に並設可能な大きさ形状に形成されており、その奥壁３８ａの上下四隅部に前記ケース体２７の係合部２７ａを係合し得る係合規制部４０が形成されている。なお、４１は取付部３８の下部両側で奥行方向に水平状に形成されたユニット差込溝、４２は取付部３８の奥面に開設された位置決用の被嵌合部である。
【００１９】
球検出ユニット３９は、図４に示すように、長方形板状のユニットケース４３に２つの収納筒部４３ａ，４３ｂを前面に開口するように並設し、一方の収納筒部４３ａの上面に「賞球」の識別表示４４ａを刻字し該識別表示４４ａを赤色に着色し、他方の収納筒部４３ｂの上面に「貸球」の識別表示４４ｂを刻字し該識別表示４４ｂを青色に着色するとともに、該各収納筒部４３ａ，４３ｂの前面に爪状の弾性係合片４５ａ，４５ｂを突設し、該各収納筒部４３ａ，４３ｂを上下に貫通するように球通過口４６ａ，４６ｂを形成している。そして、該ユニットケース４３の両側面に前記ユニット差込溝４１に合致し得る突条４７ａ，４７ｂを形成し、該ユニットケース４３の背面の偏心位置に前記被嵌合部４２に嵌合し得る嵌合部４８が突設されている。
【００２０】
４９ａは賞球排出通路３１を通過するパチンコ球をカウントするべく配線５０ａに赤色に着色されたコネクタ５１ａをもって接続される電磁コイル型の賞球検出器、４９ｂは貸球排出通路３２を通過するパチンコ球をカウントするべく配線５０ｂに青色に着色されたコネクタ５１ｂをもって接続される電磁コイル型の貸球検出器で、賞球検出器４９ａはそのコネクタ５１ａの色と「賞球」なる識別表示４４ａおよび赤色の合致を確認することで収納筒部４３ａに挿入し弾性係合片４５ａを該賞球検出器４９ａの後端部に係合させることで抜脱が防がれ、貸球検出器４９ｂはそのコネクタ５１ｂの色と「貸球」なる識別表示４４ｂおよび青色の合致を確認することで収納筒部４３ｂに挿入し弾性係合片４５ｂを該貸球検出器４９ｂの後端部に係合させることで抜脱を防がれる。
【００２１】
また、前記取付部３８の下方に位置した裏機構板１６の前面には、図３に示したように、検出ユニット３９を取付部３８に固定するための固定部材５３が軸５４により回動自在に設けられている。この固定部材５３は、球検出ユニット３９の背面を押圧係止する係止部５５と操作部５６とを有し、回動により該球検出ユニット３９の下部に固定し得る。
【００２２】
このように構成されたパチンコ遊技機では、球払出装置２４と球検出ユニット３９を裏機構板１６に取り付けるに際し、先ず図７に実線に示したように球払出装置２４のケース体２７前面を取付部３８の奥壁３８ａに当てがって前記係合部２７ａを係合規制部４０の下方に位置させ、この状態のまま同図鎖線のようにケース体２７を上方に引き上げることにより係合部２７ａを係合規制部４０に係合させて球払出装置２４を取付部３８に取り付ける。次に、図８に示すように球払出装置２４の下方に球検出ユニット３９を臨ませると共に、該球検出ユニット３９の突条４７ａ，４７ｂをユニット差込溝４１に合致させ、該球検出ユニット３９を取付部３８の奥行方向に押し込んだ後、固定部材５３を回動して係止部５５を球検出ユニット３９の背面に圧接させることで球払出装置２４及び球検出ユニット３９を取付部３８に取り付ける。このように、球払出装置２４と球検出ユニット３９とが裏機構板１６に取り付けられた状態のとき該球検出ユニット３９が球払出装置２４の下方への移動を阻止する。
【００２３】
そして、球払出装置２４を裏機構板１６から取り外すに際しては、先ず固定部材５３を回動して球検出ユニット３９の固定を解除し、該球検出ユニット３９を取付部３８から取り外す。次に、球払出装置２４のケース体２７を下方に押し下げて係合部２７ａと係合規制部４０との係合を解除することにより該球払出装置を取り外すことができる。
【００２４】
このように本発明によれば、球払出装置２４と球検出ユニット３９とをそれぞれ個別にユニット化して裏機構板１６の取付部３８に取り付けるようにすると共に、球検出ユニット３９を外さないと球払出装置２４を裏機構板１６から取り外すことができないようになっているため、球払出装置２４を取り外したときに上方の誘導レール２２から球が零れ落ちるようなことがあっても既に球検出ユニット３９が取り外されていて無用に球を検出するようなことが無くなる。
【００２５】
また、球払出装置２４を取り付けた後に球検出ユニット３９を取り付け、該球検出ユニット３９により球払出装置２４が外れないように固定するものであるから、従来球払出装置２４を固定するために必要とされていたストッパー部材を球検出ユニット３９により兼用させることができ余計な作業が不要となる。ここで、図示した実施形態の球検出ユニット３９では賞球／貸球が一体となった構造となっているが、夫々個別に収容された複数の球検出ユニットとしてもよいことは言うまでもない。
【００２６】
また、コネクタ５１ａ，５１ｂの色と球検出ユニット３９の収納筒部４３ａ，４３ｂの表示色とを一致させるように配線５０ａ，５０ｂを賞球検出器４９ａおよび貸球検出器４９ｂに接続するものであるので組み立てに際してその接続が誤って逆に配線されるようなミスを防止できるとともに、該球検出ユニット３９を取付部３８に取り付けるに際しては、図９に示されるように、該球検出ユニット３９の背面偏心位置に突設された嵌合部４８が被嵌合部４２に嵌合しない限り該球検出ユニット３９を該取付部３８中に完全に収納されないので、該球検出ユニット３９を上下反対にして取付部３８中に装着するような誤装着をも防止できる。
【００２７】
【発明の効果】
以上説明したように、本発明に係るパチンコ遊技機は、パチンコ球を賞球排出通路または貸球排出通路に分岐させる球振分機構が内蔵された球払出装置と、賞球排出通路を通過するパチンコ球をカウントする賞球検出器および貸球排出通路を通過するパチンコ球をカウントする貸球検出器を夫々ユニットケース内に着脱可能に設けた球検出ユニットとを備え、前記ユニットケースに嵌合部を形成するとともに、裏機構板に該球検出ユニットを取り付ける取付部を形成し、該取付部内に前記嵌合部が嵌合し得る被嵌合部を形成し、前記嵌合部を前記被嵌合部に嵌合させることで該球検出ユニットを該取付部に取り付けたことから、球検出ユニットが逆装着されるおそれがなく、これによる誤作動を防止できる。
また、球検出ユニットを外さないと球払出装置を取り外すことができないようにすることで、球払出装置を取り外したときに上方の球誘導レールから球が零れ落ちるようなことがあっても該球検出ユニットによって無用に球を検出するようなことがなくなり、球払出装置を取り外した際のパチンコ球の検出ミスを確実に無くすことができるなどの利点がある。
【図面の簡単な説明】
【図１】  本発明に係るパチンコ遊技機の正面図である。
【図２】  図１のパチンコ遊技機の裏面図である。
【図３】  球払出装置と球検出ユニットの取り付け部分の要部斜視図である。
【図４】  球払出装置と球検出ユニットを取り外した状態の要部斜視図である。
【図５】  球払出装置の正面断面図である。
【図６】  球払出装置の側面断面図である。
【図７】  球払出装置の取り付けを説明する要部正面図である。
【図８】  球払出装置および球検出ユニットを取り付けた状態の要部正面図である。
【図９】  図８の縦断面図である。
【符号の説明】
１６            裏機構板
２３            球振分機構
２４            球払出装置
２７            ケース体
２７ａ          係合部
３１            賞球排出通路
３２            貸球排出通路
３８            取付部
３９            球検出ユニット
４０            係合規制部
４２            被嵌合部
４３            ユニットケース
４３ａ，４３ｂ  収納筒部
４４ａ，４４ｂ  識別表示
４８            嵌合部
４９ａ          賞球検出器
４９ｂ          貸球検出器
５０ａ，５０ｂ  配線
５１ａ，５１ｂ  コネクタ
【図１】
0004555421.tif 000002
【図２】
0004555421.tif 000003
【図３】
0004555421.tif 000004
【図４】
0004555421.tif 000005
【図５】
0004555421.tif 000006
【図６】
0004555421.tif 000007
【図７】
0004555421.tif 000008
【図８】
0004555421.tif 000009
【図９】
0004555421.tif 000010